【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
電子デバイス内に格納されたデータを管理する方法であって、
前記電子デバイスのディスプレイ上に、英数文字及びシンボルのうちの少なくとも一方を少なくとも１つ示す、筆記によるユーザ指示の受信に応えて、前記電子デバイス上に表示されたデータのための所望のメモリ格納場所を決定するステップと、
前記所望のメモリ格納場所へ前記データを転送するステップと、
を備えることを特徴とする方法。
【請求項２】
前記所望のメモリ格納場所を決定する前記ステップは、
話されたコマンドを提供する可聴音によるユーザ指示の受信に応えて、前記所望の格納場所を決定するステップ
を更に備えることを特徴とする請求項１に記載の方法。
【請求項３】
英数文字及びシンボルのうちの少なくとも一方を少なくとも１つ示す、筆記によるユーザ指示の前記受信は、
スタイラスを使用して前記電子デバイスの前記ディスプレイ上に、英数文字及びシンボルのうちの少なくとも一方を少なくとも１つ書くことを含む、筆記によるユーザ入力の受信
を含むことを特徴とする請求項１に記載の方法。
【請求項４】
英数文字及びシンボルのうちの少なくとも一方を少なくとも１つ示す、筆記によるユーザ指示の前記受信は、
英数文字及びシンボルのうちの少なくとも一方を少なくとも１つを示すために、マウス、トラックボール、及びジョイスティックのうちの少なくとも１つを使用して、前記電子デバイス上に表示されるカーソルを移動させることを含む、筆記によるユーザ入力の受信
を含むことを特徴とする請求項１に記載の方法。
【請求項５】
所望のメモリ格納場所を決定する前記ステップは、
筆記による入力モードの動作、及び可聴音による入力モードの動作のうちの少なくとも一方における、前記筆記によるユーザ指示、及び前記可聴音によるユーザ指示のうちの少なくとも一方の受信に応えて、前記所望のメモリ格納場所を決定するステップ
を備えることを特徴とする請求項２に記載の方法。
【請求項６】
筆記による入力モードの動作、及び可聴音による入力モードの動作のうちの少なくとも一方における、前記筆記によるユーザ指示、及び前記可聴音によるユーザ指示のうちの少なくとも一方の前記受信は、
前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、前記筆記による入力モードの動作、及び前記可聴音による入力モードの動作のうちの少なくとも一方を起動し、
前記筆記によるユーザ指示、及び前記可聴音によるユーザ指示のうちの少なくとも一方を受信する
ことを含むことを特徴とする請求項５に記載の方法。
【請求項７】
所望のメモリ格納場所を決定する前記ステップは、
前記データをグルーピングし、当該グルーピングにおいて英数文字及びシンボルのうちの少なくとも一方を少なくとも１つ書くことを含む、筆記によるユーザ指示に応えて、前記データのための前記所望の格納場所を決定するステップ
を備えることを特徴とする請求項１に記載の方法。
【請求項８】
前記データのグルーピングに応えて前記データのための前記所望の格納場所を決定するステップは、
前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、前記データのための前記所望の格納場所を決定するステップ
を備えることを特徴とする請求項７に記載の方法。
【請求項９】
前記電子デバイスは、第１の電子デバイスを含み、前記所望のメモリ格納場所へ前記データを転送する前記ステップは、
第２の電子デバイス内の所望のメモリ格納場所へ前記データを転送するステップ
を備えることを特徴とする請求項１に記載の方法。
【請求項１０】
前記データを転送する前記ステップは、
無線周波数接続、赤外線接続、及び有線接続のうちの少なくとも１つを介して、前記第２の電子デバイスへ前記データを転送するステップを備え、
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含む
ことを特徴とする請求項９に記載の方法。
【請求項１１】
前記所望のメモリ格納場所へ前記データを転送する前記ステップは、
前記筆記によるユーザ指示に応えて所望のメモリ格納場所を決定不可能である場合に、新しいフォルダを生成するようにユーザに促すステップと、
ユーザ応答に応えて前記新しいフォルダを生成するステップと、
前記データを前記新しいフォルダへ転送するステップと、
を備えることを特徴とする請求項１に記載の方法。
【請求項１２】
英数文字及びシンボルのうちの少なくとも一方を少なくとも１つ示す前記筆記によるユーザ指示は、少なくとも部分的に、前記電子デバイスの前記ディスプレイ上の前記表示されたデータにおけるものであることを特徴とする請求項１に記載の方法。
【請求項１３】
前記電子デバイスを使用して画像を取り込むステップと、
前記取り込まれた画像を前記電子デバイスの前記ディスプレイ上に表示するステップと、
を更に備え、
前記所望のメモリ格納場所を決定する前記ステップは、少なくとも部分的に前記表示された画像上に筆記されたユーザ指示に基づいて前記所望のメモリ格納場所を決定するステップを備える
ことを特徴とする請求項１２に記載の方法。
【請求項１４】
電子デバイスであって、
メモリデバイスと、
ディスプレイと、
前記メモリデバイス及び前記ディスプレイに結合されたプロセッサと、
を備え、
前記プロセッサは、前記電子デバイスのディスプレイ上に、英数文字及びシンボルのうちの少なくとも一方を少なくとも１つ示す、筆記によるユーザ指示に応えて、
前記ディスプレイ上に表示されたデータのための、前記メモリデバイス内の所望のメモリ格納場所を決定し、
前記所望のメモリ格納場所へ前記データを転送する
ように構成される
ことを特徴とする電子デバイス。
【請求項１５】
前記プロセッサは、ボイスコマンドを提供する可聴音によるユーザ指示に応えて所望のメモリ格納場所を決定するように更に構成され、
前記プロセッサに結合され、前記ボイスコマンドを受信するように動作可能なマイクロフォンを更に備える
ことを特徴とする請求項１４に記載の電子デバイス。
【請求項１６】
前記ディスプレイ上に英数文字及びシンボルのうちの少なくとも一方を少なくとも１つ示すように動作可能なポインティングデバイスを更に備える
ことを特徴とする請求項１４に記載の電子デバイス。
【請求項１７】
前記ポインティングデバイスは、前記ディスプレイと共に使用されるように構成されるスタイラスを含み、
前記筆記によるユーザ指示は、前記スタイラスを使用して前記電子デバイスの前記ディスプレイ上に英数文字及びシンボルのうちの少なくとも一方を少なくとも１つ書くことを含む
ことを特徴とする請求項１６に記載の電子デバイス。
【請求項１８】
前記ポインティングデバイスは、マウス、トラックボール、及びジョイスティックのうちの少なくとも１つを含み、
前記筆記によるユーザ指示は、英数文字及びシンボルのうちの少なくとも一方を少なくとも１つ示すために、前記マウス、前記トラックボール、及び前記ジョイスティックのうちの少なくとも１つを使用して、前記ディスプレイ上に表示されたカーソルを移動させることを含む
ことを特徴とする請求項１６に記載の電子デバイス。
【請求項１９】
前記プロセッサは、前記データをグルーピングし、当該グルーピングにおいて前記ポインティングデバイスを使用して英数文字及びシンボルのうちの少なくとも一方を少なくとも１つ書くことに応えて、前記所望のメモリ格納場所を決定するように構成されることを特徴とする請求項１６に記載の電子デバイス。
【請求項２０】
前記プロセッサは、前記データの周囲に多角形及び楕円形のうちの少なくとも一方を描画し、前記多角形及び前記楕円形のうちの少なくとも一方において前記ポインティングデバイスを使用して英数文字及びシンボルのうちの少なくとも一方を少なくとも１つ書くことに応えて、前記所望のメモリ格納場所を決定するように構成されることを特徴とする請求項１９に記載の電子デバイス。
【請求項２１】
前記プロセッサは、
筆記による入力モードの動作、及び可聴音による入力モードの動作のうちの少なくとも一方を起動し、
前記筆記による入力モードの動作、及び前記可聴音による入力モードの動作のうちの少なくとも一方における、前記筆記によるユーザ指示、及び前記可聴音によるユーザ指示のうちの少なくとも一方の受信に応えて、前記所望の格納場所を決定する
ように構成されることを特徴とする請求項１５に記載の電子デバイス。
【請求項２２】
前記プロセッサに結合されたキーパッドを更に備え、
前記プロセッサは、前記キーパッド上のボタンを押下すること、前記ディスプレイ上に表示されたアイコンを選択すること、及び前記ディスプレイ上に表示されるオンスクリーンメニューをナビゲートすること、のうちの少なくとも１つに応えて、前記筆記による入力モードの動作、及び前記可聴音による入力モードの動作のうちの少なくとも一方を起動するように構成される
ことを特徴とする請求項２１に記載の電子デバイス。
【請求項２３】
前記電子デバイスは第１の電子デバイスを含み、
第２の電子デバイス内の所望のメモリ格納場所へ前記データを転送するように構成される送受信機を更に備える
ことを特徴とする請求項１４に記載の電子デバイス。
【請求項２４】
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含み、
前記送受信機は、無線周波数接続、赤外線接続、及び有線接続のうちの少なくとも１つを介して前記データを転送するように更に構成される
ことを特徴とする請求項２３に記載の電子デバイス。
【請求項２５】
前記プロセッサは、前記筆記によるユーザ指示に応えて所望のメモリ格納場所を決定不可能である場合に、
新しいフォルダを生成するようにユーザに促し、
ユーザ応答に応えて前記新しいフォルダを生成し、
前記データを前記新しいフォルダへ転送する
ように更に構成されることを特徴とする請求項１４に記載の電子デバイス。
【請求項２６】
英数文字及びシンボルのうちの少なくとも一方を少なくとも１つ示す前記筆記によるユーザ指示は、少なくとも部分的に、前記電子デバイスの前記ディスプレイ上の前記表示されたデータにおけるものであることを特徴とする請求項１４に記載の電子デバイス。
【請求項２７】
画像を取り込むように構成される画像取り込みデバイスを更に備え、
前記ディスプレイは前記取り込まれた画像を表示するように構成され、
前記プロセッサは、少なくとも部分的に前記表示された画像上に筆記されたユーザ指示に基づいて前記所望のメモリ格納場所を決定するように構成される
ことを特徴とする請求項１４に記載の電子デバイス。
【請求項２８】
コンピュータ読み取り可能なプログラムコードが格納された、電子デバイス内に格納されたデータを管理するためのコンピュータ読み取り可能な記録媒体であって、当該コンピュータ読み取り可能なプログラムコードは、
前記電子デバイスのディスプレイ上に、英数文字及びシンボルのうちの少なくとも一方を少なくとも１つ示す、筆記によるユーザ指示の受信に応えて、前記電子デバイス上に表示されたデータのための所望のメモリ格納場所を決定するように構成される、コンピュータ読み取り可能なプログラムコードと、
前記所望のメモリ格納場所へ前記データを転送するように構成される、コンピュータ読み取り可能なプログラムコードと、
を含むことを特徴とするコンピュータ読み取り可能な記録媒体。
【請求項２９】
話されたコマンドを提供する可聴音によるユーザ指示の受信に応えて、前記所望のメモリ格納場所を決定するように構成される、コンピュータ読み取り可能なプログラムコード
を更に含むことを特徴とする請求項２８に記載のコンピュータ読み取り可能な記録媒体。
【請求項３０】
英数文字及びシンボルのうちの少なくとも一方を少なくとも１つ示す、筆記によるユーザ指示を受信するように構成される、前記コンピュータ読み取り可能なプログラムコードは、
スタイラスを使用して前記電子デバイスの前記ディスプレイ上に書くことにより示される、英数文字及びシンボルのうちの少なくとも一方を少なくとも１つ受信するように構成される、コンピュータ読み取り可能なプログラムコード
を含むことを特徴とする請求項２８に記載のコンピュータ読み取り可能な記録媒体。
【請求項３１】
英数文字及びシンボルのうちの少なくとも一方を少なくとも１つ示す、筆記によるユーザ指示を受信するように構成される、前記コンピュータ読み取り可能なプログラムコードは、
マウス、トラックボール、及びジョイスティックのうちの少なくとも１つを使用して、前記電子デバイス上に表示されるカーソルを移動させることにより示される、英数文字及びシンボルのうちの少なくとも一方を少なくとも１つ受信するように構成される、コンピュータ読み取り可能なプログラムコード
を含むことを特徴とする請求項２８に記載のコンピュータ読み取り可能な記録媒体。
【請求項３２】
筆記による入力モードの動作、及び可聴音による入力モードの動作のうちの少なくとも一方において、前記筆記によるユーザ指示、及び前記可聴音によるユーザ指示のうちの少なくとも一方を受信するように構成される、コンピュータ読み取り可能なプログラムコード
を更に含むことを特徴とする請求項２８に記載のコンピュータ読み取り可能な記録媒体。
【請求項３３】
前記電子デバイス上のボタンを押下すること、前記電子デバイス上に表示されたアイコンを選択すること、及び前記電子デバイス上に表示される少なくとも１つのオンスクリーンメニューをナビゲートすること、のうちの少なくとも１つを含むユーザ入力に応えて、前記筆記による入力モードの動作、及び前記可聴音による入力モードの動作のうちの少なくとも一方を起動するように構成される、コンピュータ読み取り可能なプログラムコード
を更に含むことを特徴とする請求項３２に記載のコンピュータ読み取り可能な記録媒体。
【請求項３４】
所望のメモリ格納場所を決定するように構成される、前記コンピュータ読み取り可能なプログラムコードは、
前記データをグルーピングし、当該グルーピングにおいて英数文字及びシンボルのうちの少なくとも一方を少なくとも１つ書く、筆記によるユーザ指示に応えて、前記データのための前記所望の格納場所を決定するように構成される、コンピュータ読み取り可能なプログラムコード
を含むことを特徴とする請求項２８に記載のコンピュータ読み取り可能な記録媒体。
【請求項３５】
前記データをグルーピングする筆記によるユーザ指示に応えて前記データのための所望の格納場所を決定するように構成される、前記コンピュータ読み取り可能なプログラムコードは、
前記データの周囲に多角形及び楕円形のうちの少なくとも一方を描画し、前記多角形及び楕円形のうちの少なくとも一方において、英数文字及びシンボルのうちの少なくとも一方を少なくとも１つ書くことを含む、筆記によるユーザ指示に応えて、前記データのための前記所望の格納場所を決定するように構成される、コンピュータ読み取り可能なプログラムコード
を含むことを特徴とする請求項３４に記載のコンピュータ読み取り可能な記録媒体。
【請求項３６】
前記電子デバイスは、第１の電子デバイスを含み、前記所望のメモリ格納場所へ前記データを転送するように構成される、前記コンピュータ読み取り可能なプログラムコードは、
第２の電子デバイス内の所望のメモリ格納場所へ前記データを転送するように構成される、コンピュータ読み取り可能なプログラムコード
を含むことを特徴とする請求項２８に記載のコンピュータ読み取り可能な記録媒体。
【請求項３７】
前記データを転送するように転送される、前記コンピュータ読み取り可能なプログラムコードは、
無線周波数接続、赤外線接続、及び有線接続のうちの少なくとも１つを介して、前記第２の電子デバイスへ前記データを転送するように構成される、コンピュータ読み取り可能なプログラムコードを含み、
前記第２の電子デバイスは、リムーバブルメモリカード、デスクトップパーソナルコンピュータ、及びファイル共有サーバとファイル共有ウェブサイトとのうちの少なくとも一方、のうちの少なくとも１つを含む
ことを特徴とする請求項３６に記載のコンピュータ読み取り可能な記録媒体。
【請求項３８】
前記所望のメモリ格納場所へ前記データを転送するように構成される、前記コンピュータ読み取り可能なプログラムコードは、
前記筆記によるユーザ指示に応えて所望のメモリ格納場所を決定不可能である場合に、新しいフォルダを生成するようにユーザに促すように構成される、コンピュータ読み取り可能なプログラムコードと、
ユーザ応答に応えて前記新しいフォルダを生成するように構成される、コンピュータ読み取り可能なプログラムコードと、
前記データを前記新しいフォルダへ転送するように構成される、コンピュータ読み取り可能なプログラムコードと、
を含むことを特徴とする請求項２８に記載のコンピュータ読み取り可能な記録媒体。
【請求項３９】
所望のメモリ格納場所を決定するように構成される、前記コンピュータ読み取り可能なプログラムコードは、
少なくとも部分的に、前記電子デバイスの前記ディスプレイ上の前記表示されたデータにおけるものである、英数文字及びシンボルのうちの少なくとも一方を少なくとも１つ示す前記筆記によるユーザ指示に応えて、前記表示されたデータのための前記所望の格納場所を決定するように構成される、コンピュータ読み取り可能なプログラムコード
を含むことを特徴とする請求項２８に記載のコンピュータ読み取り可能な記録媒体。
【請求項４０】
画像を取り込むように構成される、コンピュータ読み取り可能なプログラムコードと、
前記取り込まれた画像を前記電子デバイスの前記ディスプレイ上に表示するように構成される、コンピュータ読み取り可能なプログラムコードと、
を更に含み、
所望のメモリ格納場所を決定するように構成される、前記コンピュータ読み取り可能なプログラムコードは、少なくとも部分的に前記表示された画像上に書かれたユーザ指示に基づいて前記所望のメモリ格納場所を決定するように構成される、コンピュータ読み取り可能なプログラムコードを含む
ことを特徴とする請求項３９に記載のコンピュータ読み取り可能な記録媒体。
【手続補正２】
【補正対象書類名】明細書
【補正対象項目名】発明の名称
【補正方法】変更
【補正の内容】
【発明の名称】筆記による及び／又は可聴音によるユーザ指示に応える、電子デバイス内のデータ管理のための、方法、電子デバイス、及びコンピュータ読み取り可能な記録媒体